(57)【要約】【課題】大型化しないで紙幣の入出金を円滑にする。【解決手段】入金動作時に、レール１３が搬送されてきた紙幣Ｐ１を受け入れるよう開口している紙幣挿入口の前方中央に近接配置された可動ガイド２８が、搬送されてきた紙幣Ｐ１の搬送方向先端の中央部分が水平状態を維持しながら紙幣挿入口に挿入されるようガイドする位置にあるようにする。これにより、搬送されてきた紙幣Ｐ１は、その搬送方向先端の中央部分が可動ガイド２８により支持されて垂れ下がることがなくなるので、紙幣収納庫１４にあらかじめ収納された紙幣と干渉することがなくなる。また、出金動作時には、可動ガイド２８が、搬送されてきた紙幣Ｐ１をガイドする位置から退避するよう動作する。これにより、紙幣収納庫１４から出金される紙幣が可動ガイド２８に引っ掛かるのを排除している。【選択図】図２
2007126221.tif 000002
【特許請求の範囲】
【請求項１】
入金された紙幣が積み重ね状態で収納される紙幣収納庫と、入金動作時に前記紙幣収納庫の上部に搬送されて搬送方向に対して直角方向の両縁部がレールによって保持された紙幣を前記紙幣収納庫内に押し込むプッシャとを備え、出金動作時には隣接配置された紙幣繰出部によって前記紙幣収納庫の中に収納された紙幣を繰り出すようにしたリサイクル機能を有する紙幣収納装置において、
前記レールが搬送されてきた紙幣を受け入れるよう開口している紙幣挿入口の前方中央に近接配置されて、入金動作時に搬送されてきた紙幣の搬送方向先端の中央部分が水平状態を維持しながら前記紙幣挿入口に挿入されるようガイドする位置にあり、出金動作時には前記紙幣をガイドする位置から退避するよう動作する可動ガイドを備えていることを特徴とする紙幣収納装置。
【請求項２】
上部に前記プッシャが垂下するよう固定された外フレームと、前記レールが設けられた上部開口部に対して前記プッシャが挿脱するように前記外フレーム内に昇降自在に配置されて前記紙幣収納庫を構成する内フレームとを有し、前記可動ガイドは、前記内フレームの昇降に連動して前記紙幣をガイドするガイド位置とこのガイド位置から退避した退避位置との間を移動するようにされていることを特徴とする請求項１記載の紙幣収納装置。
【請求項３】
前記外フレームに回動自在に固定され、一端が前記内フレームに係止され、他端が前記可動ガイドに係止されて、出金動作時に前記内フレームが上昇したときに前記ガイド位置に向けて付勢状態にある前記可動ガイドを前記退避位置へ動作させるリンクを備えていることを特徴とする請求項２記載の紙幣収納装置。
【請求項４】
前記可動ガイドは、前記ガイド位置にあるとき、前記紙幣との摺接面が前記レールの紙幣載置面に略一致するようにしてあることを特徴とする請求項２記載の紙幣収納装置。
【請求項５】
入金された紙幣が積み重ね状態で収納される紙幣収納庫と、入金動作時に前記紙幣収納庫の上部に搬送されて搬送方向に対して直角方向の両縁部がレールによって保持された紙幣を前記紙幣収納庫内に押し込むプッシャとを備え、出金動作時には隣接配置された紙幣繰出部によって前記紙幣収納庫の中に収納された紙幣を繰り出すようにしたリサイクル機能を有する紙幣収納装置を備えた紙幣処理装置において、
前記レールが搬送されてきた紙幣を受け入れるよう開口している紙幣挿入口の前方中央に近接配置されて、入金動作時に搬送されてきた紙幣の搬送方向先端の中央部分が水平状態を維持しながら前記紙幣挿入口に挿入されるようガイドする位置にあり、出金動作時には前記紙幣をガイドする位置から退避するよう動作する可動ガイドを備えていることを特徴とする紙幣処理装置。
【発明の詳細な説明】
【技術分野】
【０００１】
本発明は紙幣収納装置に関し、特にセルフサービス方式のガソリンスタンドに設置されている給油ポンプのような組み込みスペースが小さい本体装置に搭載される紙幣処理装置の紙幣収納装置および紙幣処理装置に関する。
【背景技術】
【０００２】
たとえばガソリンスタンドなどでは、給油した量に応じて現金の入出金処理を行うが、特にセルフサービス方式のガソリンスタンドにおいては、ガソリンの給油から清算までを利用者自身が行うことになっている。そのため、利用者は、その給油を行う場所において給油から清算までのすべての操作をできることが望ましい。しかし、現金の入出金処理を行う部分に関しては、給油ポンプの大きさがある程度決まっているため、その中に、紙幣および硬貨を取り扱う装置を組み込むスペースに制約がある。
【０００３】
そこで、従来の給油ポンプでは、紙幣の入出金処理を行う紙幣処理装置のみが搭載されており、小額の釣銭があるとき、または硬貨による清算を行う場合には、別の場所に併設された清算機もしくは店内で清算を行うようにしている。
【０００４】
その清算機などには、釣銭処理を行うことができる硬貨処理装置が設けられていて、入金された硬貨の金種を判別し、判別された金種に応じて収納するとともに、収納された硬貨の中から該当する金種および枚数分の硬貨が釣銭として払い出しできるようになっている。
【０００５】
一方、給油ポンプに搭載された紙幣処理装置においても、入金された紙幣を識別し、識別された紙幣を積み重ね状態で紙幣収納庫へ収納し、釣銭が必要な場合には、この紙幣収納庫から該当金種の釣銭紙幣を必要枚数払い出す構成になっている。
【０００６】
このように、入金された紙幣が釣銭として再利用されるリサイクル機能を有する紙幣処理装置において、入金および出金を行う構成は、特に給油ポンプに搭載のものではないが、一般に公知である（たとえば、特許文献１参照）。すなわち、入金動作にて紙幣収納庫に紙幣を収納するときには、紙幣収納庫の上部に搬送方向に対して直角方向に離間配置された１対のレール上の空間に入金により搬送されてきた紙幣を搬入させ、搬送方向に対して直角方向の紙幣の両縁部がレールによって保持されるようにする。その後、レール間の上部に固定配置されたプッシャに対して紙幣収納庫が上昇することにより、レールに保持されていた紙幣がプッシャによって紙幣収納庫内に押し込まれ、紙幣収納庫内のステージ上に積層収納される。そして、紙幣収納庫が降下してプッシャが紙幣収納庫から退避すると、パンタグラフによって上方に付勢されているステージが上昇し、その上に積層された紙幣がレールの下面に当接し、積層された紙幣は、ステージとレールとによって挟持された状態で紙幣収納庫内に保持される。
【０００７】
また、紙幣収納庫から紙幣を出金するときには、ステージとレールとによって保持された紙幣を収納している紙幣収納庫が上昇し、紙幣収納庫の上部中央に配置された紙幣繰出部のローラに積層された紙幣を押し当てるようにする。これにより、積層された紙幣は、ステージとローラとによって挟持された状態になる。その後、そのローラを回転させることで積層された紙幣の最上位から１枚ずつ繰り出され、搬送されて出金される。
【０００８】
また、このようなリサイクル機能を有する紙幣処理装置は、釣銭として再利用されない紙幣を収納するための紙幣収納装置をも有している。特許文献１に記載の紙幣処理装置では、釣銭として再利用されない紙幣と釣銭として再利用される紙幣とを区別して収納するため２つの紙幣収納装置を備えている。これらの紙幣収納装置は、高さ方向に並べて配置されているが、これらの高さ方向のサイズを抑えるために、両方の紙幣収納装置のプッシャ動作と一方の紙幣収納装置の繰出し動作とを１つのモータによって制御するように構成されている。
【０００９】
ここで、紙幣収納装置における紙幣収納状態および紙幣収納装置への紙幣搬入状態について説明する。一般に流通されている紙幣は、折り目や皺などが付いているので、これらの紙幣が単にステージ上に積み重ねられると、紙幣間の微少な隙間によって積層方向に膨らんだ状態になる。しかし、実際の収納状態では、紙幣の下面は全面がステージによって支えているのに対し、上面は両縁部が１対のレールのみによって押さえられているので、最上位の紙幣は、レールに押し付けられていないレール間の中央部分がどうしても上方に盛り上がってしまう傾向にある。
【００１０】
これに対し、レールの上部の空間に搬送されてきた紙幣が搬入されるとき、搬送されてきた紙幣の両縁部はレールによって保持されるが、搬送方向先端の中央部分は垂れ下がってしまう。このため、紙幣が搬送路からレールに受け渡しされるときに、レールに沿って進入してきた紙幣が紙幣収納庫に既に収納されている最上位の紙幣に衝突してしまう可能性がある。それを避けるために、レールの高さを高くしてレール下の収納紙幣とレール上に搬入されてくる紙幣との距離を十分に確保するようにしている。
【特許文献１】特開２００４−２５８９９３号公報（図１）
【発明の開示】
【発明が解決しようとする課題】
【００１１】
しかし、レールの高さを高くすると、その分、紙幣収納装置が大型化してしまうので、給油ポンプへの組み込みが難しくなってしまう。そこで、紙幣収納装置を大型化しないで紙幣の入出金が円滑にできることが望まれている。
【００１２】
本発明は、このような点に鑑みてなされたものであり、大型化しないで紙幣の入出金を円滑にできる紙幣収納装置および紙幣処理装置を提供することを目的とする。
【課題を解決するための手段】
【００１３】
本発明では、上記課題を解決するために、入金された紙幣が積み重ね状態で収納される紙幣収納庫と、入金動作時に前記紙幣収納庫の上部に搬送されて搬送方向に対して直角方向の両縁部がレールによって保持された紙幣を前記紙幣収納庫内に押し込むプッシャとを備え、出金動作時には隣接配置された紙幣繰出部によって前記紙幣収納庫の中に収納された紙幣を繰り出すようにしたリサイクル機能を有する紙幣収納装置において、前記レールが搬送されてきた紙幣を受け入れるよう開口している紙幣挿入口の前方中央に近接配置されて、入金動作時に搬送されてきた紙幣の搬送方向先端の中央部分が水平状態を維持しながら前記紙幣挿入口に挿入されるようガイドする位置にあり、出金動作時には前記紙幣をガイドする位置から退避するよう動作する可動ガイドを備えていることを特徴とする紙幣収納装置が提供される。
【００１４】
このような紙幣収納装置によると、可動ガイドは、入金動作時に搬送されてきた紙幣の搬送方向先端の中央部分が水平状態を維持しながら紙幣挿入口に挿入されるようガイドする位置にあるので、搬送されてきた紙幣は、その搬送方向先端の中央部分が垂れ下がらずにレール上にガイドされるようになる。これにより、紙幣の衝突防止のために十分に高くする必要のあったレールの高さを低くすることができるので、紙幣処理装置の高さを低く抑えることが可能になる。また、可動ガイドは、出金動作時には紙幣をガイドする位置から退避するよう動作するので、出金される紙幣の搬送を妨害することはない。
【発明の効果】
【００１５】
本発明の紙幣収納装置では、可動ガイドは、入金動作時に搬送されてきた紙幣の搬送方向先端の中央部分が水平状態を維持しながら紙幣挿入口に挿入されるようガイドする位置にあるので、搬送されてきた紙幣の搬送方向先端の中央部分の垂れ下がりが防止され、このためレールの高さを低くしても、搬送されてきた紙幣が紙幣収納庫にあらかじめ収納されていた紙幣と干渉しなくなるため、紙幣収納装置、さらにはこれを備える紙幣処理装置の高さを低く抑えることができ、大型化しないという利点がある。なお、可動ガイドは、出金動作時には紙幣をガイドする位置から退避するよう動作するので、出金される紙幣の搬送を妨害することはない。
【００１６】
また、可動ガイドは、紙幣をガイドする位置からの退避を、出金時の内フレームの動作に連動させることで行うようにしているので、特別な駆動源を必要とすることもない。
【発明を実施するための最良の形態】
【００１７】
以下、本発明の実施の形態を、セルフサービス方式のガソリンスタンドに設置されている給油ポンプのような組み込みスペースが小さい本体装置に搭載するようにした金銭処理装置の紙幣処理装置に適用した場合を例に、図面を参照して詳細に説明する。
【００１８】
まず、給油ポンプに組み込まれる金銭処理装置について説明する。
図１は金銭処理装置の外観を示す説明図である。
この金銭処理装置１は、給油ポンプを制御する本体装置に組み込まれて、ガソリンを所定量単位で販売する際に現金の入出金処理を行う機能を有するものであって、その本体装置には、正面の接客部分が客側に露出される状態で組み込まれる。金銭処理装置１は、紙幣処理装置と硬貨処理装置とを収容した筐体２を有し、その正面の上部には、表扉３が開閉可能に設けられている。表扉３には、錠４が設けられていて、保守作業を行うとき以外は施錠しておくことができるようになっている。筐体２の正面の下部には、紙幣処理装置および硬貨処理装置の接客部分が露出状態で設けられている。筐体２の中には、正面から見て左側に紙幣処理装置、右側に硬貨処理装置が収容されているので、表扉３の下方の左側には、紙幣を入出金することができる紙幣投入口および紙幣出金口の接客部分が配置されており、これら紙幣投入口および紙幣出金口は、使用時に利用者によって開閉されるカバー５によって覆われている。表扉３の下方の右側には、硬貨を入出金することができる硬貨投入口７および硬貨払出口の接客部分が配置されており、その硬貨払出口は、使用時に利用者によって開閉されるカバー６によって覆われている。
【００１９】
次に、金銭処理装置１内部の紙幣処理装置における紙幣収納装置の構成を、側面図を用いて説明する。
図２は紙幣収納装置の入金動作状態を示す内部側面図である。
【００２０】
紙幣収納装置は、紙幣処理装置のフレームに固定される外フレーム１１およびこの外フレーム１１内にて昇降自在に配置された内フレーム１２を有している。入金された紙幣を収納する内フレーム１２の上部には、搬送されてきた紙幣Ｐ１の搬送方向に対して直角方向の両縁部を保持する１対のレール１３が設けられている。
【００２１】
紙幣収納庫１４は、その外フレーム１１内部の内フレーム１２の中で昇降自在なステージ１５を有している。このステージ１５と内フレーム１２の底部との間には、パンタグラフ１６が設けられている。このパンタグラフ１６は、ステージ１５の下面の紙幣挿入口側に一端が回動自在に固定され、他端が内フレーム１２の奥側の底部に対して水平方向に移動可能に結合されたリンク１７と、一端が内フレーム１２の紙幣入口側の底部に回動自在に固定され、他端がステージ１５の奥側の下面に対して水平方向に移動可能に結合されたリンク１８とを有し、紙幣搬送方向に直交する方向に所定の間隔を置いてもう１組のリンクが配置されている。これらリンク１７，１８の交差位置には、軸１９が設けられている。
【００２２】
パンタグラフ１６は、また、リンク１８の回動軸２０にねじりばね２１が設けられており、リンク１８をその回動軸２０を中心に図２中反時計回り方向に回転して起立させるように付勢している。また、リンク１７の水平移動軸２２には、これをねじりばね２１の方向に引っ張る引っ張りばね（図示せず）が設けられている。これらねじりばね２１および引っ張りばねは、ステージ１５を常に持ち上げる方向に付勢している。さらに、ステージ１５の下面には、板ばね２３が斜めに垂れ下がった状態で固定されており、その自由端は、収納紙幣が増えてパンタグラフ１６が上下方向に縮んでいったときに軸１９に掛止して、ねじりばね２１および引っ張りばねの付勢力を増す方向に作用する。
【００２３】
レール１３間の中央位置には、このステージ１５上に積層収納されている紙幣を釣銭として出金する際に動作するサブキックローラ２４およびキックローラ２５が紙幣処理装置のフレームに回動自在に配置されている。また、レール１３が搬送されてきた紙幣Ｐ１を受け入れるよう開口している紙幣挿入口の前方中央に、ガイドローラ２６が回動自在に配置され、これに対向して紙幣Ｐ１を収納する方向にのみ回転するガイドローラ２７が配置されている。
【００２４】
また、紙幣挿入口の前方中央にあるガイドローラ２７を挟むように可動ガイド２８が近接配置されている。この可動ガイド２８は、外フレーム１１に対して昇降自在に配置され、図示しないばねによって、図の上方に付勢されていて、紙幣Ｐ１を下から支持する摺接面がレール１３の紙幣載置面に略一致するようなガイド位置にある。外フレーム１１の底部近傍には、リンク２９が回転軸３０を中心に回動自在に固定されている。このリンク２９は、一端が内フレーム１２の底部に係止され、他端が可動ガイド２８の延長部に係止されている。これにより、内フレーム１２の昇降の動作がリンク２９を介して可動ガイド２８に伝達され、内フレーム１２の昇降に連動して可動ガイド２８が昇降できるようになっている。
【００２５】
次に、紙幣収納装置の外フレーム１１と内フレーム１２とプッシャとの関係を、断面図を用いて説明する。
図３は紙幣挿入時における図２のＡ−Ａ矢視断面図である。
【００２６】
紙幣収納装置は、内フレーム１２と外フレーム１１との二重構造になっていて、内フレーム１２が紙幣を収納する紙幣収納庫１４を構成している。また、紙幣収納装置は、収納紙幣回収時には、中に紙幣を収納した状態で紙幣処理装置から取り外すことができるカセット金庫を構成している。このカセット金庫を紙幣処理装置に装着したときにそのフレームに固定されるのが外フレーム１１であり、その外フレーム１１に対して図３の上下方向に進退可能に構成されているのが内フレーム１２になっている。
【００２７】
内フレーム１２は、図３の上方が開口した箱型の形状となっていて、この上部開口部の両側壁の上端部には互いに内側に延出された延出部３１を有し、この延出部３１から所定距離だけ図３の下方に離間された位置に、その延出部３１と平行のレール１３が固定されていて、延出部３１とレール１３との間には、搬送されてきた紙幣Ｐ１が挿入される空間を形成している。
【００２８】
外フレーム１１には、その上部開口部を塞ぐように頂板３２が固定されている。頂板３２の中央部は、内フレーム１２が図３の上下方向へ移動するときに、上部開口部を介して内フレーム１２に挿抜自在となるように図３の下方へ突き出した形状になっていて、延出部３１とレール１３との間の空間に挿入された紙幣Ｐ１を内フレーム１２に押し込むためのプッシャを構成している。そのプッシャの両側には、内フレーム１２が図３の上方へ移動するときに、内フレーム１２の延出部３１およびレール１３を受け入れる溝部が形成されている。外フレーム１１の両側には、上下方向に長い貫通孔が穿設されていて、その貫通孔を介して内フレーム１２に固定された連結部材３３が突出されている。これにより、内フレーム１２は、外フレーム１１の外側から連結部材３３を介して昇降可能にしている。
【００２９】
外フレーム１１の頂板３２の上には、空間が形成されていて、その空間には、図示はしないが、収納されている紙幣を釣銭として出金する際に動作する紙幣繰出部のサブキックローラ２４およびキックローラ２５と、紙幣繰出部を駆動し内フレーム１２を昇降させるための駆動源である駆動モータとが配置されている。
【００３０】
さらに、外フレーム１１の頂板３２は、これを介して紙幣繰出部のサブキックローラ２４およびキックローラ２５が収納されている紙幣と接触するようになっているため、部分的に開口された貫通孔を有している。一方、紙幣収納庫１４は、紙幣を収納した状態で紙幣処理装置から取り外すことができるカセット金庫を構成しているので、頂板３２には、取り外し時に紙幣繰出部のサブキックローラ２４およびキックローラ２５が配置される貫通孔を開閉することができるシャッタ３４が設けられている。このシャッタ３４は、頂板３２の内側にて紙幣の搬送方向に進退可能に設けられており、このカセット金庫を紙幣処理装置に装着したときには、頂板３２の貫通孔を開放し、紙幣処理装置から取り外したときには、頂板３２の貫通孔を閉塞するように、カセット金庫の着脱に連動して開閉するようになっている。
【００３１】
次に、以上の構成の紙幣収納装置の紙幣入金時の動作を図２ないし図４を参照して説明する。
図４はプッシャ動作時における図２のＡ−Ａ矢視断面図である。
【００３２】
紙幣収納装置の紙幣入金時において、まず、内フレーム１２は、図２および図３に示したように、図の下方へ最も下がっていて入金待機状態になっている。このとき、可動ガイド２８は、図の上方へ付勢されていて、搬送されてきた紙幣Ｐ１の搬送方向先端の中央部分が垂れ下がることなく水平状態を維持するよう下から支持しながら紙幣挿入口に紙幣Ｐ１を挿入するガイド位置に移動している。
【００３３】
この可動ガイド２８にガイドされて搬送されてきた紙幣Ｐ１は、図２および図３に示したように、レール１３の上部の空間に挿入される。可動ガイド２８がこのガイド位置にある場合、可動ガイド２８の紙幣摺接面がレール１３の紙幣載置面に略一致するようにしてあるので、紙幣挿入口の直前まで紙幣Ｐ１の搬送方向先端の水平状態が維持されており、紙幣の先端の両縁部がレール１３に載ったときには、収納されている紙幣Ｐ２の後端部を通過している。このため、レール１３上に搬送されてきた紙幣Ｐ１は、あらかじめ収納されていた紙幣Ｐ２と衝突することがなくなる。
【００３４】
紙幣収納庫１４の入口に設置されたセンサ（図示せず）が紙幣Ｐ１の通過を検知すると、駆動モータが動作し、内フレーム１２を上昇させる。この紙幣Ｐ１の搬送方向に直交する方向の両縁部がレール１３に載った状態で内フレーム１２が上昇すると、図４に示すように、この紙幣Ｐ１の中央部が頂板３２によって阻止され、紙幣Ｐ１の両縁部がレール１３を乗り越えて、紙幣収納庫１４の中に押し込められる。
【００３５】
紙幣収納庫１４に押し込まれた紙幣は、レール１３より下の内フレーム１２の中に、内フレーム１２の昇降の動作方向に積み重ねられた状態で収納される。
次に、以上の構成の紙幣収納装置の紙幣出金時の動作について説明する。
【００３６】
図５は紙幣収納装置の出金動作状態を示す内部側面図である。
紙幣収納装置の紙幣出金時においては、紙幣入金動作時のプッシャ動作と同様、内フレーム１２が持ち上げられた状態になる。これにより、ステージ１５の上に載っている紙幣は、レール１３との間に挟持された状態で上昇していくが、最上位の紙幣Ｐ２が紙幣繰出部のサブキックローラ２４およびキックローラ２５に当接した後、最上位の紙幣Ｐ２およびステージ１５をその位置に取り残したままレール１３が最上位の紙幣Ｐ２から離れて上昇し、内フレーム１２は、上方へ最も上がった図５に示す状態で停止する。このとき、紙幣は、ねじりばね２１、引っ張りばねおよび板ばね２３からなる付勢手段によってサブキックローラ２４およびキックローラ２５に押し付けられた状態にある。
【００３７】
また、内フレーム１２が持ち上げられることにより、リンク２９の内フレーム１２に係止された一端も持ち上がり、回転軸３０を中心にリンク２９が回転する。このリンク２９が回転することで、リンク２９の可動ガイド２８に係止された他端が下がり、この動きに連動して可動ガイド２８も下がり、可動ガイド２８は、そのガイド位置から退避する。
【００３８】
ステージ１５上の最上位の紙幣Ｐ２がサブキックローラ２４およびキックローラ２５に押し当てられている状態で、サブキックローラ２４およびキックローラ２５が図５中、時計回り方向に回転すると、サブキックローラ２４およびキックローラ２５が最上位の紙幣Ｐ２を摩擦接触によりその沿面方向に繰り出す。このとき、可動ガイド２８は、そのガイド位置から退避しているので、紙幣Ｐ２の繰り出しの邪魔になることはない。
【００３９】
最上位の紙幣Ｐ２の繰り出し方向の先端が、繰り出し方向に回転駆動されるガイドローラ２６と、繰り出し方向には回転されないガイドローラ２７との間の巻き込み域に当て付けられると、最上位の紙幣Ｐ２がさらに繰り出される。また、紙幣間摩擦によって最上位の紙幣Ｐ２に連なって一緒に繰り出された紙幣は、回転しないガイドローラ２７によって最上位の紙幣Ｐ２と分離され、多重送りが防止される。
【００４０】
なお、紙幣収納庫１４から紙幣の繰り出しが行われた後は、ガイドローラ２６，２７に、分離された残りの紙幣の繰り出し方向の先端が残っている場合がある。これらの残った紙幣は、次に入金される紙幣を紙幣収納庫１４に収納するときの邪魔になるので、紙幣収納庫１４の中に戻しておく必要がある。これは、サブキックローラ２４およびキックローラ２５を図５中、反時計回り方向に回転させることによって、これらの残った紙幣を紙幣収納庫１４の中に戻すことができる。
【００４１】
そして、以上の出金動作が終了すると、内フレーム１２は、下方へ移動されて、図２に示した入金待機状態に戻される。
【図面の簡単な説明】
【００４２】
【図１】金銭処理装置の外観を示す説明図である。
【図２】紙幣収納装置の入金動作状態を示す内部側面図である。
【図３】紙幣挿入時における図２のＡ−Ａ矢視断面図である。
【図４】プッシャ動作時における図２のＡ−Ａ矢視断面図である。
【図５】紙幣収納装置の出金動作状態を示す内部側面図である。
【符号の説明】
【００４３】
１１  外フレーム
１２  内フレーム
１３  レール
１４  紙幣収納庫
１５  ステージ
１６  パンタグラフ
１７，１８，２９  リンク
１９  軸
２０  回動軸
２１  ねじりばね
２２  水平移動軸
２３  板ばね
２４  サブキックローラ
２５  キックローラ
２８  可動ガイド
Ｐ１，Ｐ２  紙幣
【図１】
2007126221.tif 000003
【図２】
2007126221.tif 000004
【図３】
2007126221.tif 000005
【図４】
2007126221.tif 000006
【図５】
2007126221.tif 000007